(57)【要約】      （修正有）【課題】被検者の杖および被検者の眼鏡を省スペースに管理できる眼科システムを提供する。【解決手段】被検眼の検査において使用する眼科システムであって、被検眼を検査するための眼科装置１００と、被検者が所有する杖を置く杖置き部と、被検者が所有する眼鏡を置く眼鏡置き部と、を備える。また、眼科装置を載置する載置台２００を備える。また、杖置き部と眼鏡置き部の少なくともいずれかは、眼科装置あるいは載置台へ着脱可能に配置される。【選択図】図１
0003235252.tif 000002
【実用新案登録請求の範囲】
【請求項１】
被検眼の検査において使用する眼科システムであって、
被検眼を検査するための眼科装置と、
被検者が所有する杖を置く杖置き部と、
前記被検者が所有する眼鏡を置く眼鏡置き部と、
を備えることを特徴とする眼科システム。
【請求項２】
請求項１の眼科システムにおいて、
前記眼科装置を載置する載置台を備えることを特徴とする眼科システム。
【請求項３】
請求項１または２の眼科システムにおいて、
前記杖置き部と前記眼鏡置き部の少なくともいずれかは、前記眼科装置あるいは前記載置台へ着脱可能に配置されることを特徴とする眼科システム。
【考案の詳細な説明】
【技術分野】
【０００１】
本開示は、被検眼の検査において使用する眼科システムに関する。
【背景技術】
【０００２】
被検眼を検査するための検査装置として、被検眼の眼底断層画像を撮影する眼科撮影装置（特許文献１）、被検眼の光学特性を他覚的に測定する他覚式検眼装置（特許文献２）、被検眼の光学特性を自覚的に測定する自覚式検眼装置（特許文献３）、等が知られている。
【先行技術文献】
【特許文献】
【０００３】
【特許文献１】特開２０１０−１１０３９２号公報
【特許文献２】特開平１０−３３４７９号公報
【特許文献３】特開平５−１７６８９３号公報
【考案の概要】
【考案が解決しようとする課題】
【０００４】
ところで、被検者の中には杖を使用する者がいるが、検査の際には、杖を周辺の壁に立てかける等している状況が見受けられる。また、被検者の中には眼鏡を使用する者がいるが、検査の際には、膝の上におく、周辺の荷物置きに入れる、等している状況が見受けられる。検査室では、このように、杖や眼鏡のためのスペースが、別途、必要になっていた。
【０００５】
本開示は、上記従来技術に鑑み、被検者の杖及び眼鏡を省スペースに管理できる眼科システムの提供を技術課題とする。
【課題を解決するための手段】
【０００６】
上記課題を解決するために、本開示は、以下のような構成を備えることを特徴とする。
【０００７】
本開示の眼科システムは、被検眼の検査において使用する眼科システムであって、被検眼を検査するための眼科装置と、被検者が所有する杖を置く杖置き部と、前記被検者が所有する眼鏡を置く眼鏡置き部と、を備えることを特徴とする。
【図面の簡単な説明】
【０００８】
【図１】眼科システムの構成図である。
【図２】ＯＣＴ装置の外観図である。
【図３】測定部の構成図である。
【図４】アタッチメントの構成図である。
【図５】アタッチメントの使用状態の一例である。
【考案を実施するための形態】
【０００９】
＜概要＞
本実施形態の眼科システムは、被検眼の検査において使用する眼科システムであって、被検眼を検査するための眼科装置と、被検者が所有する杖を置く杖置き部と、被検者が所有する眼鏡を置く眼鏡置き部と、を備えてもよい。
【００１０】
また、本実施形態の眼科システムは、眼科装置を載置する載置台を備えてもよい。
【００１１】
また、本実施形態の眼科システムにおいて、杖置き部と眼鏡置き部の少なくともいずれかは、眼科装置あるいは載置台に設置されてもよい。
【００１２】
また、本実施形態の眼科システムにおいて、杖置き部と眼鏡置き部の少なくともいずれかは、眼科装置あるいは載置台に固定配置されてもよい。
【００１３】
また、本実施形態の眼科システムにおいて、杖置き部と眼鏡置き部の少なくともいずれかは、眼科装置あるいは載置台へ着脱可能に配置されてもよい。
【００１４】
また、本実施形態の眼科システムにおいて、杖置き部と眼鏡置き部の少なくともいずれかは、被検者が眼科装置を使用する際の、被検者の手元の周辺に設置されてもよい。
【００１５】
また、本実施形態の眼科システムにおいて、杖置き部と眼鏡置き部は、一体形成されていてもよい。
【００１６】
＜実施例＞
本実施形態における眼科システムの一実施例について説明する。図１は、眼科システムの構成図である。眼科システムは、眼科装置１００、載置台２００、アタッチメント３００、等を備える。
【００１７】
＜眼科装置＞
眼科装置１００は、被検眼を検査するための装置である。例えば、被検眼の前眼部や眼底を撮影するための装置、被検眼の光学特性を測定するための装置、等であってもよい。より詳細には、光干渉断層計（Optical Coherence Tomography：ＯＣＴ）、走査型レーザ検眼鏡、眼底カメラ、眼圧測定装置、眼軸長測定装置、角膜形状測定装置、角膜曲率測定装置、超音波検眼装置、眼屈折力測定装置、等であってもよい。なお、本実施例では眼科装置として光干渉断層計を例に挙げ、以降の説明では眼科装置１００をＯＣＴ装置１００と称して説明する。
【００１８】
図２は、ＯＣＴ装置１００の外観図である。ＯＣＴ装置１００は、移動台１０２、測定部１０３、顔支持ユニット１０４、モニタ１０６、制御部１０７、等を備える。
【００１９】
顔支持ユニット１０４は、被検者の顔を支持する。顔支持ユニット１０４は、額当て１０４ａと、顎台１０４ｂと、を有する。額当て１０４ａには、被検者Ｐの額が当接される。顎台１０４ｂには、被検者の顎が載置される。顎台１０４ｂには、検出器１０５が設けられる。
【００２０】
検出器１０５は、被検者の顎が顎台１０４ｂに載置されたか否かを検出する。検出器１０５は、光センサ、圧力センサ、荷重センサ、超音波センサ、等の少なくともいずれかにより構成されてもよい。例えば、本実施例では、検出器１０５として荷重センサが用いられ、荷重センサによって、被検者の顎が顎台１０４ｂに載置されたことによる荷重が検出される。検出器１０５の検出結果は、制御部１０７に出力される。
【００２１】
モニタ１０６は、各種の設定画面（例えば、測定光の走査位置、走査パターン、深さ方向の領域、等を設定する設定画面）、前眼部画像、断層画像、等を表示する。モニタ１０６はタッチパネルであってもよく、モニタ１０６が操作部を兼ねてもよい。例えば、モニタ１０６の操作によって、移動台１０２に設けられたＸ移動機構とＺ移動機構が駆動し、移動台１０２とともに、移動台１０２の上部に配置された測定部１０３が、左右方向（Ｘ方向）及び前後方向（Ｚ方向）に移動されてもよい。また、モニタ１０６の操作によって、測定部１０３に設けられたＹ移動機構が駆動し、測定部１０３が、上下方向（Ｙ方向）に移動されてもよい。
【００２２】
制御部１０７は、一般的なＣＰＵ（Central Processing Unit）、ＲＡＭ、ＲＯＭ、等を備える。ＣＰＵは、ＯＣＴ装置１００の制御を司る。ＲＡＭは、各種の情報を一時的に記憶する。ＲＯＭには、ＯＣＴ装置１００の動作を制御するためのプログラム等が記憶される。制御部１０７には、移動機構（Ｘ移動機構、Ｙ移動機構、及びＺ移動機構）の駆動部、検出器１０５、モニタ１０６、各光学系が備える光源や撮像素子、記憶部１０８（図３参照）、等が電気的に接続される。記憶部１０８は、電源の供給が遮断されても記憶内容を保持できる非一過性の記憶媒体であってもよい。例えば、記憶部１０８は、ハードディスクドライブ、フラッシュＲＯＭ、ＵＳＢメモリ、ＳＤカード、等でもよい。
【００２３】
本実施例においては、ＯＣＴ装置１００の本体とは別の筐体に、制御部１０７が収納される。もちろん、ＯＣＴ装置１００の本体の内部に、制御部１０７が収納されてもよい。
【００２４】
＜測定部＞
図３は、測定部１０３の構成図である。測定部１０３は、前眼部撮像光学系２０、アライメント指標投影光学系３０、ＯＣＴ光学系４０、観察光学系５０、等を備える。
【００２５】
＜前眼部撮像光学系＞
前眼部撮像光学系２０は、被検眼Ｅの前眼部を撮像する。前眼部撮像光学系２０は、撮像素子２１を備えてもよい。撮像素子２１は、赤外域の感度をもつ。また、撮像素子２１は、アライメント指標検出用の撮像素子を兼ね、赤外光源３５により照明された前眼部とアライメント指標を撮像する。
【００２６】
＜アライメント指標投影光学系＞
アライメント指標投影光学系３０は、被検眼Ｅの角膜に向けてアライメント指標を投影する。アライメント指標投影光学系３０は、第１投影光学系３０ａ及び第２投影光学系３０ｂを備える。第１投影光学系３０ａは、無限遠のアライメント指標を投影する。第１投影光学系３０ａは、赤外光源３１とコリメータレンズ３２を備えてもよい。赤外光源３１は、光軸を中心としてリング状に配置され、近赤外光を発する。コリメータレンズ３２は、赤外光源３１から発せられた光を平行光束にする。第２投影光学系３０ｂは、有限遠のアライメント指標を投影する。第２投影光学系３０ｂは、赤外光源３５を備えてもよい。赤外光源３５は、光軸を中心として赤外光源３１とは異なる位置でリング状に配置され、近赤外光を発する。なお、第２投影光学系３０ｂによる光は、アライメント光として用いられるとともに、前眼部撮像光学系２０による前眼部撮像光としても用いられる。
【００２７】
＜ＯＣＴ光学系＞
ＯＣＴ光学系４０は、被検眼Ｅに照射された測定光と参照光による干渉信号を検出する。ＯＣＴ光学系４０は、光源４１、カップラー４２、走査部４３（例えば、光スキャナ）、測定光学系４４、検出器４５、参照光学系４６、等を備える。光源４１、測定光学系４４、検出器４５、及び参照光学系４６は、光ファイバでカップラー４２に繋がれている。光源４１から出射した光は、カップラー４２によって測定光と参照光に分割される。測定光は、光ファイバを通過した後に空気中へ出射され、走査部４３及び測定光学系４４を介して、眼底に導かれる。参照光は、光ファイバを通過して、参照光学系４６に導かれる。眼底にて反射された測定光と、参照光学系４６が備える図示なき反射光学系（例えば、参照ミラー）に反射された参照光と、は同様の経路を経て光ファイバに戻される。検出器４５は、測定光と参照光の合成による干渉信号（干渉光）を受光して、制御部１０７に出力する。
【００２８】
＜観察光学系＞
観察光学系５０は、眼科用走査型レーザ検眼鏡（Scanning Laser Ophthalmoscope：ＳＬＯ）の構成をもち、被検眼Ｅの眼底を撮影してＳＬＯ正面画像を取得する。なお、観察光学系５０は、眼底カメラタイプの構成であってもよいし、被検眼を赤外光にて撮影する赤外撮影光学系であってもよい。
【００２９】
＜載置台＞
載置台２００は、ＯＣＴ装置１００を載置するための台である。載置台２００は、ＯＣＴ装置１００の本体を載置するための第１載置台２００Ａを有してもよい。また、載置台２００は、ＯＣＴ装置１００の本体とは別の筐体を載置するための第２載置台２００Ｂを有してもよい。ここでは、第１載置台２００Ａと第２載置台２００Ｂを有する場合を例示する。
【００３０】
第１載置台２００Ａは、天板２０１、支柱２０２、脚２０３、等を備える。天板２０１には、天板２０１の長手方向と、ＯＣＴ装置１００のＺ方向（すなわち、作動距離方向）と、が一致するように、ＯＣＴ装置１００が載置される。支柱２０２は、天板２０１の下面に接続され、天板２０１を支持する。脚２０３は、支柱２０２に接続され、支柱２０２、天板２０１、及び天板２０１上のＯＣＴ装置１００を支持する。
【００３１】
なお、天板２０１は上下方向へ移動可能であってもよい。例えば、支柱２０２に上下移動機構（一例として、モータ及びスライド機構、等）を設け、支柱２０２を移動させることによって、天板２０１を移動させることができてもよい。例えば、このような上下移動機構は、操作部（例えば、レバー、スイッチ、等）の操作によって出力される出力信号に基づき、移動量や移動方向が制御されてもよい。
【００３２】
第２載置台２００Ｂは、天板２０４、収納部２０５、脚２０６、等を備える。天板２０１には、検者が前眼部画像や断層画像を確認するためのモニタ等が載置されてもよい。収納部２０５には、ＯＣＴ装置１００の本体とは別の筐体が収納されてもよい。言い換えると、ＯＣＴ装置の一部が収納されてもよい。脚２０３は、収納部２０５の下部に接続され、収納部２０５、天板２０４、及び天板２０４上のモニタ等を支持する。
【００３３】
＜アタッチメント＞
図４は、アタッチメント３００の構成図である。図５は、アタッチメント３００の使用状態の一例である。アタッチメント３００は、杖置き部４００と、眼鏡置き部５００と、により構成される。杖置き部４００は、被検者が所有する杖を置くための部材である。眼鏡置き部５００は、被検者が所有する眼鏡を置くための部材である。本実施例では、杖置き部４００と眼鏡置き部５００が、一体形成された１つの部材として設けられる。
【００３４】
杖置き部４００は、杖を掛け置くことができる形状であればよい。例えば、杖の持ち手、杖の柄、杖に取り付けられたストラップ、等の少なくともいずれかを掛け置くことができる形状であればよい。
【００３５】
本実施例の杖置き部４００は、杖の持ち手を掛け置くことができる形状とされる。例えば、杖置き部４００は、プレート４０１と、窪部４０２と、を有する形状であってもよい。プレート４０１は、杖の持ち手を支持する。窪部４０２は、杖の柄とプレート４０１との接触を避けるために、プレート４０１の一部がＵ字型に削られた部分である。例えば、このような杖置き部４００は、杖の柄を挟むように持ち手を２箇所で支持することができるため（図５参照）、杖が安定する。
【００３６】
もちろん、杖置き部４００はプレート４０１のみを有し、杖の持ち手を１箇所で支持する構成としてもよい。また、窪部４０２はＵ字型に限らず、半円型、四角型、等に削られてもよい。
【００３７】
眼鏡置き部５００は、眼鏡を保持することができる形状であればよい。例えば、眼鏡そのものを載せ置くことができる形状であってもよい。また、眼鏡の少なくとも一部（一例として、レンズ、ブリッジ、テンプル、等）を支持することができる形状とされてもよい。
【００３８】
本実施例の眼鏡置き部５００は、眼鏡そのものを載せ置くことができる形状とされる。例えば、眼鏡置き部５００は、プレート５０１と、羽根部５０２と、を有する形状であってもよい。プレート５０１は、眼鏡を支持する。羽根部５０２は、プレート５０１の縁高の部分である。例えば、このような眼鏡置き部５００は、眼鏡が振動等でズレても、眼鏡と羽根部５０２が接触することで（図５参照）、眼鏡の落下を防止することができる。
【００３９】
もちろん、眼鏡置き部５００はプレート５０１のみを有してもよい。この場合、さらに、プレート５０１の上面に、摩擦抵抗が生じる素材を張り付ける、滑り止めのコーティングを施す、等してもよい。
【００４０】
アタッチメント３００は、ＯＣＴ装置１００あるいは載置台２００に設置される。例えば、アタッチメント３００は、取付部６００を介して、ＯＣＴ装置１００あるいは載置台２００に設置される。例えば、取付部６００は、磁石、ボルトとナット、凸部と凹部の嵌合、軸と貫通孔の嵌合、クリップマウント等のクランプ機構、等であってもよい。
【００４１】
なお、アタッチメント３００を載置台２００に設置する場合、アタッチメント３００は第１載置台２００Ａまたは第２載置台２００Ｂのいずれに設置されてもよい。本実施例では、アタッチメント３００が、第２載置台２００Ｂの天板２０４へ、軸と貫通孔の嵌合により、着脱可能に設置される場合を例示する。
【００４２】
天板２０４には、貫通孔６０１を貫通させるための軸６０２が設けられる。この軸６０２は、被検者がＯＣＴ装置１００を使用する際の、被検者の手元の周辺に設けられるとよい。言いかえると、被検者の手が届く範囲に設けられるとよい。例えば、被検者と対面するＯＣＴ装置１００の正面側であって、天板２０４の短手方向のいずれかの位置に、軸が設けられてもよい。また、例えば、被検者と対面するＯＣＴ装置１００の左右側であって、天板２０４の長手方向における被検者寄りのいずれかの位置（一例として、長手方向の中央よりも手前のいずれかの位置）に、軸６０２が設けられてもよい。
【００４３】
アタッチメント３００の貫通孔６０１を、天板２０４のこれらの位置にある軸６０２に貫通させることで、被検者の手元の周辺に、杖置き部４００及び眼鏡置き部５００が設置される。このため、被検者が杖や眼鏡を置くためのスペースを別途設ける必要がなく、被検眼の検査の際に杖と眼鏡を省スペースに管理できる。また、被検者が杖や眼鏡を置く場所を探す必要がなく、検査がスムーズに開始される。
【００４４】
なお、貫通孔６０１及び軸６０２には、貫通孔６０１が軸６０２を中心に回転しないよう、ネジ止めする、ロック機構を設ける、等してもよい。例えば、ロック機構は、磁石、凸部と凹部の嵌合、等で構成されてもよい。
【００４５】
また、天板２０４の軸６０２は、複数個所に設けられ、任意の位置に取り付け可能であってもよい。この場合には、検査室内における第２載置台２００Ｂの配置の自由度が増し、検査室内の環境や状況に応じた対応が可能になる。例えば、検査室内の壁面に第２載置台２００Ｂを寄せて配置する際、アタッチメント３００が邪魔になることがあるが、アタッチメント３００を取り外して別の位置に付け替えることができる。
【００４６】
もちろん、アタッチメント３００の取付部６００がクリップマウント等であれば、アタッチメント３００を天板２０４に取り付けるために、天板２０４に設ける部材（すなわち、軸６０２、等）が不要となる。天板２０４の予め決められた位置から任意の位置を選択するのではなく、天板２０４の好みの位置にアタッチメント３００を設置できる。
【００４７】
以上、説明したように、例えば、本実施例の眼科システムは、被検眼を検査するための眼科装置と、被検者が所有する杖を置く杖置き部と、被検者が所有する眼鏡を置く眼鏡置き部と、を備える。これによって、被検者の検査の際に、杖や眼鏡のためのスペースを別途設ける必要がなく、これらを省スペースに管理できる。
【００４８】
また、例えば、本実施例の眼科システムにおいて、杖置き部と眼鏡置き部の少なくともいずれかは、眼科装置、あるいは、眼科装置を載置する載置台に設置される。被検者が検査を受ける際の被検者の周囲に杖置き部と眼鏡置き部があることで、杖と眼鏡を省スペースに管理できる。
【００４９】
また、例えば、本実施例の眼科システムにおいて、杖置き部と眼鏡置き部の少なくともいずれかは、眼科装置あるいは載置台へ着脱可能に配置される。これによって、杖置き部と眼鏡置き部を、検査室の環境や状況に合わせた任意の位置に、適宜、取り付けることができる。
【００５０】
また、例えば、本実施例の眼科システムにおいて、杖置き部と眼鏡置き部の少なくともいずれかは、被検者が眼科装置を使用する際の、被検者の手元の周辺に設置される。被検者が検査を受ける際の被検者の周囲、かつ、被検者の手元の周辺に杖置き部と眼鏡置き部があることで、杖と眼鏡を省スペースに管理できる。また、被検者は検査時に杖と眼鏡を置く場所を探さなくてもよく、検査をスムーズに開始できる。また、被検者が自ら杖と眼鏡を置くことで、検者（もしくは補助者）との杖及び眼鏡を介した接触の機会を減らし、感染症等のリスクの低減につなげることができる。
【００５１】
また、例えば、本実施例の眼科システムにおいて、杖置き部と眼鏡置き部は一体形成される。このため、眼科装置あるいは載置台への設置が容易になる。
【００５２】
＜変容例＞
なお、本実施例では、杖置き部４００と眼鏡置き部５００を、一体形成のアタッチメント３００とする構成を例に挙げて説明したが、これに限定されない。例えば、杖置き部４００と、眼鏡置き部５００と、はそれぞれを独立したアタッチメントとして構成してもよい。この場合、杖置き部４００と眼鏡置き部５００の双方を、ＯＣＴ装置１００に設けてもよい。また、杖置き部４００と眼鏡置き部５００の双方を、載置台２００に設けてもよい。また、杖置き部４００と眼鏡置き部５００の一方をＯＣＴ装置１００に、他方を載置台２００に設けてもよい。
【００５３】
なお、本実施例では、アタッチメント３００を着脱可能とする構成を例に挙げて説明したが、これに限定されない。例えば、アタッチメント３００は、固定配置する構成としてもよい。杖置き部４００と眼鏡置き部５００を独立のアタッチメントとする際には、杖置き部４００と眼鏡置き部５００の少なくともいずれかを、固定配置する構成としてもよい。これによって、アタッチメント３００を着脱可能に配置する場合よりも、アタッチメント３００を簡易な構成とすることができる。また、杖置き部４００と眼鏡置き部５００を着脱可能に配置する場合よりも、各部を簡易な構成とすることができる。
【００５４】
なお、本実施例のＯＣＴ装置１００は、杖置き部４００に杖が置かれたことを検出してもよい。例えば、杖置き部４００のプレート４０１に、検出器が設けられてもよい。同様に、本実施例のＯＣＴ装置１００は、眼鏡置き部５００に眼鏡が置かれたことを検出してもよい。例えば、眼鏡置き部５００のプレート５０１に、検出器が設けられてもよい。もちろん、杖置き部４００と眼鏡置き部５００のいずれにも、検出器が設けられてもよい。例えば、検出器は、光センサ、圧力センサ、荷重センサ、超音波センサ、等であってもよい。
【００５５】
このように、杖や眼鏡が置かれたことを検出する場合、検出器の検出結果（検出信号）が、有線通信または無線通信を介して、ＯＣＴ装置１００の制御部１０７に出力されてもよい。制御部１０７は、検出信号に基づいて、検査開始時の初期動作を実行するように、顔支持ユニット１０４、測定部１０３、Ｘ移動機構、Ｙ移動機構、及びＺ移動機構、等の各部を制御してもよい。一例として、顎台１０４ｂや測定部１０３が、初期位置に移動されてもよい。また、一例として、ＯＣＴ光学系４０において、測定光のフォーカスを調整するための図示なきフォーカスレンズを、初期位置に移動させてもよい。これによって、被検者の検査をスムーズに開始できる。また、被検者がＯＣＴ装置１００を使用するための準備を始めるよりも早く初期動作が行われるため、検査時間を短縮できる。
【００５６】
また、このように、杖や眼鏡が置かれたことを検出する場合、検出器の検出結果（検出信号）が、有線通信または無線通信を介して、報知部に出力されてもよい。例えば、報知部は、音声を発する音声発生部（例えば、スピーカ、等）、光を発する発光部（例えば、光源、等）であってもよい。また、例えば、報知部は、ＯＣＴ装置１００あるいはアタッチメント３００のいずれに設けられてもよい。例えば、ＯＣＴ装置１００を用いた検査が終了してもなお、検出器からの検出信号が出力されるとき、報知部は音声や光を発するようにしてもよい。これによって、杖や眼鏡の取り忘れを防ぐことができる。
【００５７】
なお、本実施例のＯＣＴ装置１００は、眼鏡置き部５００にて、眼鏡を保持するとともに、眼鏡レンズの光学特性（例えば、屈折度数、等）を測定することが可能に構成されてもよい。例えば、眼鏡置き部５００が、眼鏡レンズに測定光束を投光し、眼鏡レンズ及び指標板を通過した測定光束を撮像素子で撮像する、レンズメータとしての機能を兼ねてもよい。この場合、眼鏡レンズの光学特性に基づいて、ＯＣＴ光学系４０における測定光のフォーカス等を予め調整してもよい。
【符号の説明】
【００５８】
１００  ＯＣＴ装置
２００  載置台
３００  アタッチメント
４００  杖置き部
５００  眼鏡置き部
【図１】
0003235252.tif 000003
【図２】
0003235252.tif 000004
【図３】
0003235252.tif 000005
【図４】
0003235252.tif 000006
【図５】
0003235252.tif 000007